(57)【要約】【課題】水平転送部をその中間部を境に左右両方向に転送可能な構成を採る場合、２相駆動では転送方向が左右方向に固定されてしまう。【解決手段】水平転送部１４を３相駆動にするとともに、当該水平転送部１４をその中間部を境に左側の転送部分と右側の転送部分とに分け、その左右両側の転送部１４Ｌ，１４Ｒの各転送電極に対して駆動クロックを別々に供給するようにし、その両側の転送部１４Ｌ，１４Ｒの各転送電極に供給する駆動クロックの相を適宜入れ替えることにより、水平転送部１４の転送方向を左右両方向、左方向のみあるいは右方向のみに簡単かつ自由に設定可能とする。【選択図】        図１
2004159033.tif 000002
【特許請求の範囲】
【請求項１】
光電変換を行う画素が配列されてなる撮像領域と、
前記撮像領域から移された電荷を３相以上の駆動方式によって水平転送する水平転送部と、
前記水平転送部の両端部に設けられ、当該水平転送部によって転送された電荷を電気信号に変換して出力する一対の出力アンプと、
前記水平転送部の中間部を境にその両側の転送部分の各転送電極に対してそれぞれ３相以上の駆動クロックを印加する第１，第２の端子群と、
前記第１，第２の端子群の各々に対して前記駆動クロックを別々に供給するとともに、前記第１，第２の端子群の各端子に供給する前記駆動クロックの相を転送モードに応じて切り替える駆動クロック供給手段と
を備えたことを特徴とする固体撮像装置。
【請求項２】
前記転送モードは、前記水平転送部の転送方向が、左右両方向、左方向のみあるいは右方向のみの何れかの転送モードである
ことを特徴とする請求項１記載の固体撮像装置。
【請求項３】
前記転送モードが左方向の転送モードのときは前記一対の出力アンプのうち右側の出力アンプの動作を停止させ、前記転送モードが右方向の転送モードのときは前記一対の出力アンプのうちの左側の出力アンプの動作を停止させる
ことを特徴とする請求項２記載の固体撮像装置。
【請求項４】
光電変換を行う画素が配列されてなる撮像領域と、
前記撮像領域から移された電荷を３相以上の駆動方式によって水平転送する水平転送部と、
前記水平転送部の両端部に設けられ、当該水平転送部によって転送された電荷を電気信号に変換して出力する一対の出力アンプと
を備えた固体撮像装置の駆動方法であって、
前記水平転送部の中間部を境にその両側の転送部分の各転送電極に対して３相以上の駆動クロックを別々に供給するとともに、
前記両側の転送部分の各転送電極に供給する前記駆動クロックの相を転送モードに応じて入れ替える
ことを特徴とする固体撮像装置の駆動方法。
【請求項５】
前記転送モードは、前記水平転送部の転送方向が、左右両方向、左方向のみあるいは右方向のみの何れかの転送モードである
ことを特徴とする請求項４記載の固体撮像装置の駆動方法。
【請求項６】
前記転送モードが左方向の転送モードのときは前記一対の出力アンプのうち右側の出力アンプの動作を停止させ、前記転送モードが右方向の転送モードのときは前記一対の出力アンプのうちの左側の出力アンプの動作を停止させる
ことを特徴とする請求項５記載の固体撮像装置の駆動方法。
【発明の詳細な説明】
【０００１】
【発明の属する技術分野】
本発明は、固体撮像装置およびその駆動方法に関し、特に水平転送部の両端部に一対の出力アンプを具備する構成の固体撮像装置および当該固体撮像装置における水平転送部の駆動方法に関する。
【０００２】
【従来の技術】
フレームレートの向上を図るために、従来の固体撮像装置では、単位画素が行列状に配列されてなる撮像領域を左右に２分割、あるいは上下左右に４分割し、撮像領域の上下の片方側に配置された１本の水平転送部、あるいは上下両側に配置された２本の水平転送部によって電荷を左右両方向に転送し、水平転送部の両端部に設けた一対の出力アンプからそれぞれ出力信号を導出する構成が採られている（例えば、特許文献１参照）。
【０００３】
ここでは、撮像領域を左右に２分割した固体撮像装置の場合を例に挙げて、その具体的な構成について説明する。
【０００４】
この左右２分割の固体撮像装置は、図８に示すように、単位画素１０１が行列状に配列され、この画素配列に対して列単位で垂直転送部１０２が配置されてなる撮像領域１０３をその中央部で左右に２分割し、さらに水平転送部１０４についてもその中間部を境に左右に２分割して水平転送部１０４の両端部に設けた左右一対の出力アンプ１０５Ｌ，１０５Ｒから各領域の出力信号をそれぞれ導出する構成となっている。
【０００５】
【特許文献１】
特開平５−２２６６７号公報（特に、段落００２４，段落００２５および段落００２７、ならびに図４）
【０００６】
ところで、水平転送部では垂直転送部に比べて電荷を高速に転送する必要があることから、図９に示す互いに逆相の２相の駆動クロックＨφ１，Ｈφ２を用いた２相駆動が行われるのが一般的である。２相駆動の場合、周知のように、水平転送部１０４の２層の転送電極に対して２相の駆動クロックＨφ１，Ｈφ２を印加するだけでは転送方向が決まらない。
【０００７】
したがって、水平転送部１０４では、例えば、左右の転送部分１０４Ｌ，１０４Ｒ間で異なる片方の転送電極の下にイオンを注入することによって電位勾配をつけて左右の転送方向を決めるようにしている。そして、２相の駆動クロックＨφ１，Ｈφ２を、水平転送部１０４に対して左右の転送部分１０４Ｌ，１０４Ｒ間で異なる転送電極に印加することで、転送部分１０４Ｌ，１０４Ｒによる左右方向への転送を実現している。図１０に、水平転送部１０４の構造とポテンシャルの関係を示す。
【０００８】
【発明が解決しようとする課題】
上述したように、従来例に係る固体撮像装置では、水平転送部１０４が２相駆動であることによって転送方向が左右方向に固定された構成となっているため、フレームレートを落として消費電力を抑えたい場合でも、水平転送部１０４の駆動ドライバでの駆動周波数の低下に伴う消費電力の低下分しか低消費電力化できないという課題があった。また、鏡像を得ようとした場合は、後段の信号処理系にラインメモリあるいはフレームメモリを設けて、信号処理の段階で信号の入れ替えを行う必要があるため部品点数が増加し、コストアップを招くという課題もあった。
【０００９】
本発明は、上記課題に鑑みてなされたものであり、その目的とするところは、水平転送部の転送方向を左右両方向に限らず、左方向のみ、右方向のみにも簡単かつ自由に設定可能な固体撮像装置および当該固体撮像装置における水平転送部の駆動方法を提供することにある。
【００１０】
【課題を解決するための手段】
上記目的を達成するために、本発明では、光電変換を行う画素が配列されてなる撮像領域と、この撮像領域から移された電荷を３相以上の駆動方式によって水平転送する水平転送部と、この水平転送部の両端部に設けられ、当該水平転送部によって転送された電荷を電気信号に変換して出力する一対の出力アンプとを備えた固体撮像装置において、水平転送部の中間部を境にその両側の転送部分の各転送電極に対して３相以上の駆動クロックを別々に供給するとともに、前記両側の転送部分の各転送電極に供給する駆動クロックの相を転送モードに応じて切り替えるようにする。
【００１１】
水平転送部の両端部に一対の出力アンプを具備する固体撮像装置において、水平転送部の駆動方式を３相駆動以上とすることにより、水平転送部の各転送電極に印加する駆動クロック相互の位相関係を設定するだけで水平転送部の転送方向が決まる。そこで、水平転送部をその中間部を境に左側の転送部分と右側の転送部分とに分け、その左右両側の転送部分の各転送電極に対して駆動クロックを別々に供給するようにし、その両側の転送部分の各転送電極に供給する駆動クロックの相を適宜入れ替えることにより、水平転送部の転送方向を左右両方向、左方向のみあるいは右方向のみに簡単かつ自由に設定できる。
【００１２】
【発明の実施の形態】
以下、本発明の実施の形態について図面を参照して詳細に説明する。図１は、本発明の一実施形態に係る固体撮像装置の構成例を示すブロック図である。本実施形態では、固体撮像素子として例えばＣＣＤ（Ｃｈａｒｇｅ  Ｃｏｕｐｌｅｄ  Ｄｅｖｉｃｅ）エリアセンサを用いている。
【００１３】
図１から明らかなように、ＣＣＤエリアセンサ１０は、行列状に配列された単位画素１１およびその画素配列に対して画素列単位で配されたＣＣＤからなる垂直転送部１２を有する撮像領域１３と、この撮像領域１３に対して上下方向の例えば一方側のみに配されたＣＣＤからなる水平転送部１４と、この水平転送部１４の両端部に設けられた左右一対の出力アンプ１５Ｌ，１５Ｒとを備えた構成となっている。
【００１４】
単位画素１１は、フォトダイオードなどの光電変換素子からなり、入射光をその光量に応じた電荷量の信号電荷に光電変換して蓄積する。垂直転送部１２は、単位画素１１から読み出される信号電荷を列単位で垂直転送し、行単位で水平転送部１４にシフト（移送）する。水平転送部１４は、３相以上の駆動方式（本例では、３相駆動方式）によって撮像領域１３から移された信号電荷を、後述するように、その中間部を境に左右両方向に、または左方向のみもしくは右方向のみに水平転送する。
【００１５】
左右一対の出力アンプ１５Ｌ，１５Ｒは、例えばフローティングディフュージョンおよびソースフォロア回路によって構成されている。そして、これら出力アンプ１５Ｌ，１５Ｒは、水平転送部１４によって左右両方向に、または左方向のみもしくは右方向のみに水平転送され、最終出力ゲート（図示せず）を介して注入される信号電荷を検出して、この検出した信号電荷を電気信号、例えば信号電圧に変換してＣＣＤ出力Ｏｕｔ−Ｌ，Ｏｕｔ−Ｒとして導出する。
【００１６】
続いて、左右両方向への水平転送が可能な水平転送部１４の構成について具体的に説明する。ここでは、３相駆動の場合を例に挙げていることから、水平転送部１４の駆動には、図２に示す位相関係の３相の駆動クロックＨφ１，Ｈφ２，Ｈφ３が用いられることになる。図２のタイミングチャートにおいて、駆動クロックＨφ１，Ｈφ３が共に“Ｌ”レベル、駆動クロックＨφ２が“Ｈ”レベルになる期間は、垂直転送部１３から水平転送部１４へ信号電荷が転送（シフト）される転送期間である。
【００１７】
水平転送部１４は、図３に示すように、半導体基板２０上に図示せぬ絶縁膜を介して、３相駆動に対応する３つの転送電極ａ，ｂ，ｃが単位となって繰り返し配列された電極構造となっている。そして、左右両方向への水平転送を可能にするために、その中間部（図中、点線）を境界にして、３つの転送電極ａ，ｂ，ｃの配列順が左右対称となることで、左側の転送部分（以下、「左側転送部」と記す）１４Ｌと右側の転送部分（以下、「右側転送部」と記す）１４Ｒとに分けられている。
【００１８】
左側転送部１４Ｌには、第１の端子群１６Ｌの３個の端子Ｌ１，Ｌ２，Ｌ３を介して３相の駆動クロックＨφ１Ｌ，Ｈφ２Ｌ，Ｈφ３Ｌが、単位となる３つの転送電極ａ，ｂ，ｃごとに印加される。同様に、右側転送部１４Ｒにも、第２の端子群１６Ｒの３個の端子Ｒ１，Ｒ２，Ｒ３を介して３相の駆動クロックＨφ１Ｒ，Ｈφ２Ｒ，Ｈφ３Ｒが、単位となる３つの転送電極ａ，ｂ，ｃごとに印加される。
【００１９】
再び図１において、３相の駆動クロックＨφ１，Ｈφ２，Ｈφ３は、タイミングジェネレータ１７で生成され、切り替え回路１８において左側転送部１４Ｌ用の駆動クロックＨφ１Ｌ，Ｈφ２Ｌ，Ｈφ３Ｌと、右側転送部１４Ｒ用の駆動クロックＨφ１Ｒ，Ｈφ２Ｒ，Ｈφ３Ｒに切り替えられた後、クロックドライバ１９を介して第１の端子群１６Ｌの各端子Ｌ１，Ｌ２，Ｌ３および第２の端子群１６Ｒの各端子Ｒ１，Ｒ２，Ｒ３にそれぞれ供給される。
【００２０】
すなわち、タイミングジェネレータ１７、切り替え回路１８およびクロックドライバ１９は、第１の端子群１６Ｌの各端子Ｌ１，Ｌ２，Ｌ３および第２の端子群１６Ｒの各端子Ｒ１，Ｒ２，Ｒ３に対して、３相の駆動クロックＨφ１，Ｈφ２，Ｈφ３を別々に供給する駆動クロック供給手段を構成している。
【００２１】
この駆動クロック供給手段において、切り替え回路１８は、水平転送部１４の転送方向を左右両方向、左方向のみ、あるいは右方向のみに切り替えるために設けられたものであり、第１の端子群１６Ｌの各端子Ｌ１，Ｌ２，Ｌ３に供給する３相駆動クロックＨφ１Ｌ，Ｈφ２Ｌ，Ｈφ３Ｌの相および第２の端子群１６Ｒの各端子Ｒ１，Ｒ２，Ｒ３に供給する３相駆動クロックＨφ１Ｒ，Ｈφ２Ｒ，Ｈφ３Ｒの相を、左右両方向、左方向のみ、右方向の各転送モードに応じて切り替える作用をなす。
【００２２】
続いて、この切り替え回路１８の具体的な切り替え動作について説明する。なお、３つの転送電極ａ，ｂ，ｃのうち、真ん中の転送電極ｂについては転送方向が反転する場合でも相を変える必要がないため、当該転送電極ｂに印加する２相目の駆動パルスＨφ２Ｌ，Ｈφ２Ｒについては、転送方向に関係なく固定になっている。
【００２３】
切り替え回路１８は、図１に等価回路で示すように、左側転送部１４Ｌ用の２つの切り替えスイッチＳＬ１，ＳＬ２と、右側転送部１４Ｒ用の２つの切り替えスイッチＳＲ１，ＳＲ２とを有している。切り替えスイッチＳＬ１，ＳＬ２は、左右両方向および左方向のみの各転送モードのときは、図に実線で示す切り替え位置▲１▼をとり、右方向のみの転送モードのときは、図に点線で示す切り替え位置▲２▼をとる。一方、切り替えスイッチＳＲ１，ＳＲ２は、左右両方向および右方向のみの各転送モードのときは、図に実線で示す切り替え位置▲１▼をとり、左方向のみの転送モードのときは、図に点線で示す切り替え位置▲２▼をとる。
【００２４】
この切り替え回路１８による相の切り替えにより、左右両方向の転送モードのときは、図４に示すように、左側転送部１４Ｌには、第１の端子群１６Ｌの３個の端子Ｌ１，Ｌ２，Ｌ３を介して３相の駆動クロックＨφ１Ｌ，Ｈφ２Ｌ，Ｈφ３Ｌが、単位となる３つの転送電極ａ，ｂ，ｃごとに印加される。右側転送部１４Ｒにも同様に、第２の端子群１６Ｒの３個の端子Ｒ１，Ｒ２，Ｒ３を介して３相の駆動クロックＨφ１Ｒ，Ｈφ２Ｒ，Ｈφ３Ｒが、単位となる３つの転送電極ａ，ｂ，ｃごとに印加される。
【００２５】
ここで、左側転送部１４Ｌと右側転送部１４Ｒとは、先述したように、その境界（図中、点線）に関して、３つの転送電極ａ，ｂ，ｃの配列順が左右対称な電極構造となっている。したがって、駆動クロックＨφ１Ｌ，Ｈφ２Ｌ，Ｈφ３Ｌが転送電極ａ，ｂ，ｃにそれぞれ印加され、駆動クロックＨφ１Ｒ，Ｈφ２Ｒ，Ｈφ３Ｒが転送電極ａ，ｂ，ｃにそれぞれ印加されることで、左側転送部１４Ｌの転送方向が図の左方向になり、右側転送部１４Ｒの転送方向が図の右方向になる。
【００２６】
そして、図２のタイミングチャートにおいて、１相目、３相目の駆動クロックＨφ１，Ｈφ３が共に“Ｌ”レベル、２相目の駆動クロックＨφ２が“Ｈ”レベルのときに、撮像領域１３の垂直転送部（垂直ＣＣＤ）１２から水平転送部（水平ＣＣＤ）１４に信号電荷が１行（１ライン）分だけ転送（シフト）される。その後、撮像領域１３の左半分の信号電荷は左側転送部１４Ｌによって図の左方向に転送され、右半分の信号電荷は右側転送部１４Ｒによって図の右方向に転送される。
【００２７】
次に、左方向の転送モードのときは、図５に示すように、左側転送部１４Ｌには、左右両方向の転送モードのときと同様に、第１の端子群１６Ｌの３個の端子Ｌ１，Ｌ２，Ｌ３を介して３相の駆動クロックＨφ１Ｌ，Ｈφ２Ｌ，Ｈφ３Ｌが３つの転送電極ａ，ｂ，ｃごとに印加される。すなわち、左側転送部１４Ｌの転送方向は、左右両方向の転送モードのときと同じ左方向のままである。
【００２８】
一方、右側転送部１４Ｒには、切り替え回路１８による相の切り替えにより、第２の端子群１６Ｒの３個の端子Ｒ１，Ｒ２，Ｒ３を介して３相の駆動クロックＨφ３Ｒ，Ｈφ２Ｒ，Ｈφ１Ｒが３つの転送電極ａ，ｂ，ｃごとに印加される。すなわち、右側転送部１４Ｒについては、１相目の駆動クロックＨφ１Ｒと３相目の駆動クロックＨφ３Ｒとが入れ替えられる、換言すれば転送電極ａ，ｃ間で駆動クロックの相の切り替えが行われる。これにより、右側転送部１４Ｒの転送方向は左右両方向の転送モードのときと逆の左方向になる。
【００２９】
そして、図２のタイミングチャートにおいて、１相目、３相目の駆動クロックＨφ１，Ｈφ３が共に“Ｌ”レベル、２相目の駆動クロックＨφ２が“Ｈ”レベルのときに、撮像領域１３の垂直転送部１２から水平転送部１４に信号電荷が１ライン分だけ転送される。その後、撮像領域１３の左右両側の各領域の信号電荷は共に、左側転送部１４Ｌおよび右側転送部１４Ｒによって図の左方向に転送される。
【００３０】
右方向の転送モードのときは、図６に示すように、左側転送部１４Ｌには、切り替え回路１８による相の切り替えにより、第１の端子群１６Ｌの３個の端子Ｌ１，Ｌ２，Ｌ３を介して３相の駆動クロックＨφ３Ｌ，Ｈφ２Ｌ，Ｈφ１Ｌが３つの転送電極ａ，ｂ，ｃごとに印加される。すなわち、左側転送部１４Ｌについては、１相目の駆動クロックＨφ１Ｒと３相目の駆動クロックＨφ３Ｒとが入れ替えられる、換言すれば転送電極ａ，ｃ間で駆動クロックの相の切り替えが行われる。これにより、左側転送部１４Ｌの転送方向は、左右両方向の転送モードのときと逆の右方向になる。
【００３１】
一方、右側転送部１４Ｒには、左右両方向の転送モードのときと同様に、第２の端子群１６Ｒの３個の端子Ｒ１，Ｒ２，Ｒ３を介して３相の駆動クロックＨφ３Ｒ，Ｈφ２Ｒ，Ｈφ１Ｒが３つの転送電極ａ，ｂ，ｃごとに印加される。これにより、右側転送部１４Ｒの転送方向は、左右両方向の転送モードのときと同じ右方向になる。
【００３２】
そして、図２のタイミングチャートにおいて、１相目、３相目の駆動クロックＨφ１，Ｈφ３が共に“Ｌ”レベル、２相目の駆動クロックＨφ２が“Ｈ”レベルのときに、撮像領域１３の垂直転送部１２から水平転送部１４に信号電荷が１ライン分だけ転送される。その後、撮像領域１３の左右両側の各領域の信号電荷は共に、左側転送部１４Ｌおよび右側転送部１４Ｒによって図の右方向に転送される。
【００３３】
なお、左方向のみあるいは右方向のみの転送モード、即ち片側出力の転送モードのときには、出力が行われない側の出力アンプ１５Ｌ／１５Ｒは未使用状態にあるため、出力が行われない側の出力アンプについては例えばソースフォロアの動作電源を遮断したり、グランド側に接続する抵抗の抵抗値を大きくするなどの方法によって当該出力アンプの動作を停止させるようにすれば良い。これにの消費電力分だけ低消費電力化を図ることができる。
【００３４】
上述したように、水平転送部１４を３相駆動以上とすることにより、水平転送部１４の各転送電極に印加する例えば３相の駆動クロックＨφ１Ｌ，Ｈφ２Ｌ，Ｈφ３Ｌ相互の位相関係を設定するだけで水平転送部１４の転送方向を決めることができることに着目し、水平転送部１４をその中間部を境に左側の転送部分と右側の転送部分とに分け、その左右両側の転送部１４Ｌ，１４Ｒの各転送電極に対して駆動クロックを別々に供給するようにし、その両側の転送部１４Ｌ，１４Ｒの各転送電極に供給する駆動クロックの相を適宜入れ替えることにより、水平転送部１４の転送方向を左右両方向、左方向のみあるいは右方向のみに簡単かつ自由に設定できる。
【００３５】
これにより、左右両方向の転送モードを選択することで、水平転送部１４の駆動周波数、即ち駆動クロックＨφ１Ｌ，Ｈφ２Ｌ，Ｈφ３Ｌの周波数を同じとした場合に、１フィールド分の信号電荷を片側出力の転送モードに比べて半分の時間で出力できるため、フレームレートを２倍に上げることができる。一方、水平転送部１４の駆動周波数を落として消費電力を抑えたい場合には、片側出力の転送モードを選択し、出力が行われない側の出力アンプの動作を停止することにより、駆動周波数の低下に伴う消費電力の低下分に加えて、動作停止の出力アンプでの本来の消費電力分だけ低消費電力化を図ることができる。
【００３６】
また、例えば左方向の転送モードによって正像出力が得られるとした場合、右方向の転送モードを選択することによって簡単に鏡像出力が得られることから、鏡像出力を得るために後段の信号処理系にラインメモリあるいはフレームメモリを設けて、信号処理の段階で信号の入れ替えを行うなどの処理を行わなくても済むため、部品点数の増加に伴うコストアップを招くことなく、鏡像を得ることができることになる。
【００３７】
なお、上記実施形態では、水平転送部１４を３相駆動する場合を例に挙げて説明したが、これに限られるものではなく、４相以上の駆動方式であっても良いことは勿論である。
【００３８】
また、上記実施形態では、撮像領域１３を左右に２分割し、撮像領域１３の上下の片側にのみ水平転送部１４を配置してなる固体撮像装置に適用した場合を例を挙げたが、図７に示すように、撮像領域１３を上下左右に４分割し、撮像領域１３の上下両側に水平転送部１４Ｕ，１４Ｄを配置してなる固体撮像装置にも適用可能である。この場合、水平転送部１４Ｕ，１４Ｄとしては、全く同じ電極構造のものを用いることができる。
【００３９】
この４分割の固体撮像装置の場合には、上側の左右半分ずつの信号電荷を上側の水平転送部１４Ｕによって左右両側から出力し、下側の左右半分ずつの信号電荷を下側の水平転送部１４Ｄによって左右両側から出力することで、１フィールド分の信号電荷を上下の片側でかつ左右の片側から出力する場合に比べて１／４の時間で出力できるため、フレームレートを４倍に上げることができる。
【００４０】
また、この４分割の固体撮像装置において、タイミングジェネレータについては上下共通として、下側の水平転送部１４Ｄに対する駆動クロックの供給手段、即ち切り替え回路１８Ｄおよびクロックドライバ１９Ｄとして、図１の切り替え回路１８およびクロックドライバ１９をそのまま用いるとした場合、上側の水平転送部１４Ｕに対する駆動クロックの供給手段、即ち切り替え回路１８Ｕおよびクロックドライバ１９Ｕとしても同様に、図１の切り替え回路１８およびクロックドライバ１９をそのまま用いるようにすれば良い。
【００４１】
そして、水平転送部１４Ｕ，１４Ｄの駆動周波数を落として消費電力を抑えたい場合には、水平転送部１４Ｕ，１４Ｄのそれぞれについて、切り替え回路１８Ｕ，１８Ｄによる相の切り替えによって片側出力の転送モードを選択し、出力が行われない側の出力アンプ（１５ＬＵ／１５ＲＵ，１５ＬＤ／１５ＲＤ）の動作を停止することにより、駆動周波数の低下に伴う消費電力の低下分に加えて、動作停止の出力アンプでの消費電力分だけ低消費電力化を図ることができる。
【００４２】
【発明の効果】
以上説明したように、本発明によれば、水平転送部の駆動方式を３相駆動以上にするとともに、水平転送部をその中間部を境に左側の転送部分と右側の転送部分とに分け、その左右両側の転送部分の各転送電極に対して駆動クロックを別々に供給するようにし、その両側の転送部分の各転送電極に供給する駆動クロックの相を適宜入れ替えることにより、水平転送部の転送方向を左右両方向、左方向のみあるいは右方向のみに簡単かつ自由に設定できる。
【図面の簡単な説明】
【図１】本発明の一実施形態に係る固体撮像装置の構成例を示すブロック図である。
【図２】３相の駆動クロックＨφ１，Ｈφ２，Ｈφ３の位相関係を示すタイミングチャートである。
【図３】本実施形態に係る固体撮像装置における水平転送部の構成例を示す電極構造図である。
【図４】左右両方向の転送モード時の動作説明図である。
【図５】左方向の転送モード時の動作説明図である。
【図６】右方向の転送モード時の動作説明図である。
【図７】本実施形態の変形例に係る固体撮像装置の構成例を示すブロック図である。
【図８】固体撮像装置の従来例を示すブロック図である。
【図９】２相の駆動クロックＨφ１，Ｈφ２の位相関係を示すタイミングチャートである。
【図１０】従来例に係る水平転送部の構造とポテンシャルの関係を示す図である。
【符号の説明】
１０…ＣＣＤエリアセンサ、１１…単位画素、１２…垂直転送部、１３…撮像領域、１４…水平転送部、１４Ｌ…左側転送部、１４Ｒ…右側転送部、１５Ｌ，１５Ｒ…出力アンプ、１６Ｌ，１６Ｒ…第１，第２の電極群、１７…タイミングジェネレータ、１８…切り替え回路、１９…クロックドライバ
【図１】
2004159033.tif 000003
【図２】
2004159033.tif 000004
【図３】
2004159033.tif 000005
【図４】
2004159033.tif 000006
【図５】
2004159033.tif 000007
【図６】
2004159033.tif 000008
【図７】
2004159033.tif 000009
【図８】
2004159033.tif 000010
【図９】
2004159033.tif 000011
【図１０】
2004159033.tif 000012